(57)【要約】【課題】  放熱性の向上を図る。【解決手段】  内部に所要の各部が配置された外筐２と、外筐の内部に配置されホルダー１７とホルダーに保持された撮像素子１６とを有する素子ユニット１５と、撮像素子の撮像面１６ａに対して素子ユニットにおける反対側の面に取り付けられた被取付部２２と被取付部から突出された突出部２３とを有する放熱シート２１と、外筐に固定された固定板金１１とを設け、放熱シートの突出部が固定板金に接続された。これにより素子ユニットにおいて発生した熱が放熱シートを介して固定板金に伝達されて放熱され、素子ユニットにおいて発生した熱の良好な放熱性が確保される。【選択図】        図５
2012028940.tif 000002
【特許請求の範囲】
【請求項１】
内部に所要の各部が配置された外筐と、
前記外筐の内部に配置されホルダーと前記ホルダーに保持された撮像素子とを有する素子ユニットと、
前記撮像素子の撮像面に対して前記素子ユニットにおける反対側の面に取り付けられた被取付部と前記被取付部から突出された突出部とを有する放熱シートと、
前記外筐に固定された固定板金とを備え、
前記放熱シートの突出部が前記固定板金に接続された
撮像装置。
【請求項２】
光軸方向に直交する第１の方向へ移動可能とされたスライダーと、
前記スライダーを前記第１の方向へ移動自在に支持する支持枠とを設け、
前記素子ユニットが前記スライダーと一体で前記第１の方向へ移動可能とされると共に前記光軸方向及び前記第１の方向にともに直交する第２の方向へ前記支持枠及び前記スライダーに対して移動可能とされ、
前記素子ユニットに、前記素子ユニットが前記第２の方向へ移動されたときに前記放熱シートの前記スライダーとの接触を回避するガイド部材を取り付けた
請求項１に記載の撮像装置。
【請求項３】
前記素子ユニットにおける前記反対側の面に接続され前記撮像素子に駆動電流を供給するフレキシブルプリント配線板を設け、
前記放熱シートの突出部の少なくとも一部と前記フレキシブルプリント配線板の一部とを厚み方向において当接又は近接させ、
前記素子ユニットが前記第２の方向へ移動されたときに前記ガイド部材によって前記フレキシブルプリント配線板の前記スライダーとの接触を回避するようにした
請求項２に記載の撮像装置。
【請求項４】
前記素子ユニットにおける前記反対側の面に接続され前記撮像素子に駆動電流を供給するフレキシブルプリント配線板を設け、
前記放熱シートの突出部の少なくとも一部と前記フレキシブルプリント配線板の一部とを厚み方向において当接又は近接させた
請求項１に記載の撮像装置。
【請求項５】
前記放熱シートの突出部に、前記フレキシブルプリント配線板の一部に厚み方向において当接又は近接する接近部と、前記接近部に連続し前記フレキシブルプリント配線板と厚み方向において重ならない位置に配置され前記固定板金に接続される接続部とを設けた
請求項４に記載の撮像装置。
【発明の詳細な説明】
【技術分野】
【０００１】
本発明は撮像装置についての技術分野に関する。詳しくは、撮像素子を有する素子ユニットに取り付けられた放熱シートに突出部を設け突出部を固定板金に接続して放熱性の向上を図る技術分野に関する。
【背景技術】
【０００２】
ビデオカメラやスチルカメラ等の各種の撮像装置には、撮像レンズを介して取り込んだ被写体像をデジタル画像に変換するためのＣＣＤ（Charge Coupled Device）やＣＭＯＳ（Complementary Metal Oxide Semiconductor）等の撮像素子が設けられている。
【０００３】
このような撮像素子においては、駆動時に熱が発生しその発熱量によっては画像に対するノイズが発生し画質の低下を来たすおそれがあるため、撮像素子において発生する熱に関して良好な放熱性を確保する必要がある。特に、一眼レフカメラのように連写の頻度が高い撮像装置や動画撮影が可能とされた撮像装置においては、短時間に発生する熱量が大きくなるため、高い放熱性が必要とされる。
【０００４】
また、近年、画質の向上を図るために撮像素子を光軸方向に直交する方向へ移動させてぶれ補正を行う撮像装置が普及しているが、このような撮像装置においても、ぶれ補正機構の駆動時に撮像素子において発生する熱が画質に影響を及ぼすため、十分な放熱性が必要とされる。
【０００５】
上記のような放熱性を考慮した撮像装置として、撮像素子を有する素子ユニットの背面にグラファイトシート等の放熱シートを貼り付けて放熱性を高めたものがある（例えば、特許文献１参照）。
【０００６】
特許文献１に記載された撮像装置にあっては、撮像素子や回路基板等によって素子ユニットが構成され、撮像素子が複数のリード線を介して回路基板に接続されており、撮像素子の背面側に配置された回路基板の背面に放熱シートが貼り付けられている。
【０００７】
特許文献１に記載された撮像装置においては、撮像素子において発生した熱が回路基板を介して放熱シートに伝達され、放熱シートから空気中に放熱が行われる。
【０００８】
【特許文献１】特開２００９−１４７６８５号公報
【発明の開示】
【発明が解決しようとする課題】
【０００９】
ところが、特許文献１に記載された撮像装置にあっては、撮像素子において発生した熱が放熱シートから熱伝達効率の低い空気中に放出されるため、十分な放熱性が確保されていない。
【００１０】
そこで、本発明撮像装置は、上記した問題点を克服し、放熱性の向上を図ることを課題とする。
【課題を解決するための手段】
【００１１】
撮像装置は、上記した課題を解決するために、内部に所要の各部が配置された外筐と、前記外筐の内部に配置されホルダーと前記ホルダーに保持された撮像素子とを有する素子ユニットと、前記撮像素子の撮像面に対して前記素子ユニットにおける反対側の面に取り付けられた被取付部と前記被取付部から突出された突出部とを有する放熱シートと、前記外筐に固定された固定板金とを備え、前記放熱シートの突出部が前記固定板金に接続されたものである。
【００１２】
従って、撮像装置にあっては、撮像素子において発生した熱が放熱シートを介して固定板金に伝達される。
【００１３】
上記した撮像装置においては、光軸方向に直交する第１の方向へ移動可能とされたスライダーと、前記スライダーを前記第１の方向へ移動自在に支持する支持枠とを設け、前記素子ユニットが前記スライダーと一体で前記第１の方向へ移動可能とされると共に前記光軸方向及び前記第１の方向にともに直交する第２の方向へ前記支持枠及び前記スライダーに対して移動可能とされ、前記素子ユニットに、前記素子ユニットが前記第２の方向へ移動されたときに前記放熱シートの前記スライダーとの接触を回避するガイド部材を取り付けることが望ましい。
【００１４】
素子ユニットが第２の方向へ移動されたときに放熱シートのスライダーとの接触を回避するガイド部材を取り付けることにより、ぶれ補正時において素子ユニットの動作速度が低下しない。
【００１５】
上記した撮像装置においては、前記素子ユニットにおける前記反対側の面に接続され前記撮像素子に駆動電流を供給するフレキシブルプリント配線板を設け、前記放熱シートの突出部の少なくとも一部と前記フレキシブルプリント配線板の一部とを厚み方向において当接又は近接させ、前記素子ユニットが前記第２の方向へ移動されたときに前記ガイド部材によって前記フレキシブルプリント配線板の前記スライダーとの接触を回避することが望ましい。
【００１６】
素子ユニットが第２の方向へ移動されたときにガイド部材によってフレキシブルプリント配線板のスライダーとの接触を回避することにより、ぶれ補正時において素子ユニットの動作速度が低下しない。
【００１７】
上記した撮像装置においては、前記素子ユニットにおける前記反対側の面に接続され前記撮像素子に駆動電流を供給するフレキシブルプリント配線板を設け、前記放熱シートの突出部の少なくとも一部と前記フレキシブルプリント配線板の一部とを厚み方向において当接又は近接させることが望ましい。
【００１８】
放熱シートの突出部の少なくとも一部とフレキシブルプリント配線板の一部とを厚み方向において当接又は近接させることにより、放熱シートとフレキシブルプリント配線板の配置スペースが小さくなる。
【００１９】
上記した撮像装置においては、前記放熱シートの突出部に、前記フレキシブルプリント配線板の一部に厚み方向において当接又は近接する接近部と、前記接近部に連続し前記フレキシブルプリント配線板と厚み方向において重ならない位置に配置され前記固定板金に接続される接続部とを設けることが望ましい。
【００２０】
放熱シートにフレキシブルプリント配線板と厚み方向において重ならない位置に配置された接続部を設けることにより、接続部がフレキシブルプリント配線板に干渉されることなく固定板金に接続される。
【発明の効果】
【００２１】
本発明撮像装置は、素子ユニットに取り付けられた放熱シートに突出部を設け、突出部を固定板金に接続しているため、素子ユニットにおいて発生した熱が放熱シートを介して固定板金に伝達されて放熱され、素子ユニットにおいて発生した熱に関する放熱性の向上を図ることができる。
【発明を実施するための最良の形態】
【００２２】
以下に、本発明撮像装置を実施するための最良の形態を添付図面に従って説明する。
【００２３】
以下に示した最良の形態は、本発明撮像装置をデジタルスチルカメラに適用したものである。
【００２４】
但し、本発明の適用範囲はデジタルスチルカメラに限られることはなく、例えば、ビデオカメラやカメラが組み込まれた携帯端末、情報処理装置等の撮像装置として用いられる各種の装置に広く適用することができる。
【００２５】
以下の説明にあっては、撮像装置（デジタルスチルカメラ）の撮影時において撮影者から見た方向で前後上下左右の方向を示すものとする。従って、被写体側が前方となり、撮影者側が後方となる。
【００２６】
尚、以下に示す前後上下左右の方向は説明の便宜上のものであり、本発明の実施に関しては、これらの方向に限定されることはない。
【００２７】
［撮像装置の概略構成］
撮像装置（デジタルスチルカメラ）１は箱状の外筐２の内外に所要の各部が配置されて成る（図１及び図２参照）。
【００２８】
外筐２の右端部は前方へ突出されたグリップ部２ａとして設けられ、撮影者によってグリップ部２ａが把持された状態で撮影が行われる。
【００２９】
外筐２の上面には撮影時に操作されるシャッター釦３と所定の設定等を行うための操作ダイヤル４、４、４とが配置されている。操作ダイヤル４、４、４を操作することにより、シャッター速度や絞り値の調整、各種の撮影モードの設定、各撮影モードにおける各種の機能の設定等を行うことができる。
【００３０】
撮影モードとしては、例えば、シャッター速度や絞り値の設定が自動で行われるオート撮影モードやシャッター速度と絞り値が自動で設定され他の設定を手動で行うプログラムオート撮影モード等がある。
【００３１】
また、各撮影モードにおける各種の機能の設定としては、例えば、ホワイトバランス調整やフォーカスモード等の設定がある。これらの機能の設定は、後述するビューファインダーやディスプレイパネル等に表示される設定用の画面を視認した状態で操作ダイヤル４、４、４を操作することにより行うことが可能である。  外筐２の上端部には撮影時において補助光を照射させるためのフラッシュ部５が外筐２に対して開閉可能な状態で配置されている。
【００３２】
外筐２の前面部には撮影レンズ６が配置されている。撮影レンズ６の後方には図示しない各種のレンズ又はレンズ群が光軸に沿って配置されている。外筐２の前面には撮影レンズ６を開閉する位置に、図示しない交換レンズの着脱が可能とされている。
【００３３】
外筐２の背面における上端部には後述する素子ユニットの撮像素子によって撮像される被写体像を視認するためのビューファインダー７が配置されている。
【００３４】
外筐２の背面におけるビューファインダー７の下方には、ディスプレイパネル８が配置されている。ディスプレイパネル８には、撮像素子によって撮像された被写体像や図示しない記録媒体から読み出された画像等が表示される他、各種のモードの設定時等に必要な表示等が出力される。
【００３５】
外筐２の背面におけるディスプレイパネル８の周囲には、各種の操作スイッチ９、９、・・・が配置されている。操作スイッチ９、９、・・・を操作することにより、例えば、手振れ補正の実行等を含む各種の機能の設定等を行うことができる。
【００３６】
外筐２の内部における背面側には前後方向を向くメイン基板１０が配置されている（図３参照）。メイン基板１０には撮像装置１の全体の制御を行うための各種の回路が形成されており、メイン基板１０の前面にはコネクター１０ａが配置されている。
【００３７】
外筐２の下端部には上下方向を向く固定板金１１が取り付けられている。固定板金１１は放熱性の高い金属材料によって形成され、例えば、撮影時に三脚を固定するための固定部として機能する。固定板金１１には三脚を取り付けるための取付孔１１ａが形成されている。
【００３８】
［撮像ブロック］
外筐２の内部における背面側にはメイン基板１０の前側に撮像ブロック１２が配置されている（図３参照）。撮像ブロック１２は支持枠１３とスライダー１４と素子ユニット１５を有している（図３乃至図５参照）。
【００３９】
支持枠１３は矩形の枠状に形成され、支持枠１３に図示しない第１の駆動部が設けられている。第１の駆動部としては、例えば、圧電素子が用いられている。
【００４０】
スライダー１４は略Ｌ字状に形成され、上下方向に延びる垂直部１４ａと垂直部１４ａの下端部から側方へ延びる水平部１４ｂとから成り、支持枠１３の内側において、支持枠１３に光軸方向に直交する第１の方向（左右方向）へ移動自在に支持されている。スライダー１４は第１の駆動部によって第１の方向へ移動される。スライダー１４には図示しない第２の駆動部が設けられ、第２の駆動部としては、例えば、圧電素子が用いられている。
【００４１】
素子ユニット１５はＣＣＤやＣＭＯＳ等の撮像素子１６と撮像素子１６を保持する枠状のホルダー１７と撮像素子１６を前方側から覆うカバーガラス１８と撮像素子１６の背面側に配置された回路基板１９とを有している。素子ユニット１５は支持枠１３の内側において、スライダー１４に光軸方向及び第１の方向にともに直交する第２の方向（上下方向）へ移動自在に支持されている。素子ユニット１５は第２の駆動部によって第２の方向へ移動される。
【００４２】
撮像素子１６の前面は撮像面１６ａとして形成されている。
【００４３】
回路基板１９の背面には複数の電子部品１９ａ、１９ａ、・・・が搭載されている。
【００４４】
回路基板１９の背面にはフレキシブルプリント配線板２０が接続されている（図３及び図５参照）。フレキシブルプリント配線板２０は撮像素子１６に駆動電流を供給するための接続ケーブルとして機能し、一端部２０ａが回路基板１９に接続され他端部２０ｂが回路基板１９の後方に配置されたメイン基板１０のコネクター１０ａに接続されている。フレキシブルプリント配線板２０の中間部２０ｃは上下方向において略１８０°折り返されるように屈曲されている。
【００４５】
回路基板１９の背面には放熱シート２１が取り付けられている。放熱シート２１としては、例えば、熱伝導率の高いグラファイトシートが用いられている。放熱シート２１は回路基板１９の背面に取り付けられた被取付部２２と被取付部２２の下端部から突出された突出部２３とから成る。
【００４６】
放熱シート２１の被取付部２２は回路基板１９における電子部品１９ａ、１９ａ、・・・が搭載されていない位置に取り付けられている。
【００４７】
突出部２３は被取付部２２の下端部に連続する接近部２４と接近部２４から側方へ突出された接続部２５とから成る。
【００４８】
接近部２４はフレキシブルプリント配線板２０の中間部２０ｃの内側において中間部２０ｃに厚み方向において当接又は近接した状態とされ、中間部２０ｃと同様に上下方向において屈曲されている。
【００４９】
接続部２５は接近部２４の被取付部２２に連続する側と反対側の端部から側方へ突出された側部２５ａと側部２５ａの外側の端部から下方へ突出された接続用突部２５ｂとから成り、接続用突部２５ｂが略直交する方向へ屈曲されて固定板金１１に接続されている。接続部２５はフレキシブルプリント配線板２０の側方においてフレキシブルプリント配線板２０と重ならない位置に配置されている。
【００５０】
尚、上記には、撮像素子１６の背面側に回路基板１９が配置されている構成において、素子ユニット１５の最も背面側に位置する回路基板１９の背面に放熱シート２１を取り付けた例を示したが、放熱シート２１は素子ユニットの構成によらず素子ユニットの背面に取り付けられていればよい。放熱シート２１は撮像素子１６において発生する熱を固定板金１１に伝達する機能を有すればよく、例えば、放熱シート２１が撮像素子１６の背面に取り付けられた構成とすることも可能である。
【００５１】
撮像素子１６を保持するホルダー１７の下端部にはガイド部材２６が取り付けられている。ガイド部材２６は、例えば、金属材料によって形成され、ホルダー１７に取り付けられた被取付面部２６ａと被取付面部２６ａの後端部から下方へ突出され前後方向を向くガイド面部２６ｂとを有している。ガイド部材２６はガイド面部２６ｂがスライダー１４における水平部１４ｂの後面より稍後方に位置されている。
【００５２】
ガイド部材２６のガイド面部２６ｂの後面には、その後方においてフレキシブルプリント配線板２０の中間部２０ｃと放熱シート２１の接近部２４とが当接又は近接されている（図３参照）。
【００５３】
上記のように構成された撮像装置１において、被写体の撮影時には、メイン基板１０の電流供給回路からフレキシブルプリント配線板２０を介して駆動電流が撮像素子１６に供給され、取り込まれた被写体像が撮像素子１６によってデジタル変換される。このとき素子ユニット１５において発熱が生じ、発生した熱が放熱シート２１を介して固定板金１１に伝達されて放熱される。固定板金１１は高い放熱性能を有しているため、素子ユニット１５から放熱シート２１を介して伝達された熱の良好な放熱性が確保される。
【００５４】
また、被写体の動画撮影時には、ぶれ補正が行われ、第１の駆動部の駆動力によってスライダー１４と素子ユニット１５が一体になって支持枠１３に対して第１の方向へ移動され、第２の駆動部の駆動力によって素子ユニット１５がスライダー１４に対して第２の方向へ移動される。
【００５５】
ぶれ補正時には、上記したように、素子ユニット１５がスライダー１４に対して第２の方向（上下方向）へ移動されるが、同時に、フレキシブルプリント配線板２０と放熱シート２１が素子ユニット１５の第２の方向への移動に伴って屈曲しながら上下方向へ移動される。このときフレキシブルプリント配線板２０の中間部２０ｃと放熱シート２１の接近部２４とがガイド部材２６におけるガイド面部２６ｂの後方において当接又は近接して位置されている。従って、ガイド部材２６によってフレキシブルプリント配線板２０の中間部２０ｃと放熱シート２１の接近部２４とのスライダー１４に対する接触が防止され、ぶれ補正時において素子ユニット１５の動作速度が低下することがなく、良好なぶれ補正機能を確保することができる。
【００５６】
［撮像装置の回路構成］
次に、撮像装置の回路構成の一例について説明する（図６参照）。
【００５７】
撮像装置１００（撮像装置１に相当）は、カメラブロック１１０、カメラＤＳＰ（Digital Signal Processor）１２０、ＳＤＲＡＭ（Synchronous Dynamic Random Access Memory）１３０、媒体インターフェース１４０、制御ブロック１５０、操作部１６０、ＬＣＤ（Liquid Crystal Display）１７０及び外部インターフェース１８０を備え、記録媒体２００が着脱可能とされている。
【００５８】
記録媒体２００としては、半導体メモリーを用いた所謂メモリーカード、記録可能なＤＶＤ（Digital Versatile Disk）や記録可能なＣＤ（Compact Disc）等のディスク状記録媒体等の種々のものを用いることができる。
【００５９】
カメラブロック１１０は、撮像部１１１、レンズ駆動系１１２、手振れ補正系１１３及び画像取出系１１４を備えている。
【００６０】
撮像部１１１は光学像を得るための撮像レンズ１１１ａ及び得られた光学像を電気信号に変換する撮像素子１１１ｂ（撮像素子１６に相当）を有している。
【００６１】
レンズ駆動系１１２は、撮像レンズ１１１ａ中の可動レンズを駆動してズーミング及びフォーカシングを行う機能を有している。レンズ駆動系１１２は、可動レンズを駆動するためのステッピングモータ等の駆動手段１１２ａ、駆動手段１１２ａに駆動信号を送出するドライバー１１２ｂ及び駆動手段１１２ａの動作をフィードバックする検出手段１１２ｃを有している。
【００６２】
手振れ補正系１１３は、撮像装置１００のぶれを検出する検出素子等のぶれ検出手段１１３ａ、ぶれ検出手段１１３ａの検出結果に基づいてぶれ補正装置１１３ｂを動作させるドライバー１１３ｃを有している。ぶれ補正装置１１３ｂは上記した撮像ブロック１０に相当する。
【００６３】
画像取出系１１４は、制御ブロック１５０による制御に応じて撮像素子１１１ｂの駆動タイミングを生成するタイミング生成回路１１４ａ、タイミング生成回路１１４ａが生成したタイミングに基づき撮像素子１１１ｂを駆動するドライバー１１４ｂ、撮像素子１１１ｂから取り出したアナログ信号をデジタル信号に変換するＡ／Ｄ変換回路１１４ｃを有している。
【００６４】
Ａ／Ｄ変換回路１１４ｃは、入力された電気信号としての画像情報に対してＣＤＳ（Correlated Double Sampling）処理を行って良好なＳ／Ｎ比を確保し、ＡＧＣ（Automatic Gain Control）処理を行って利得を制御し、Ａ／Ｄ（Analog/Digital）変換を行ってデジタル信号としての画像データーの生成等を行う。
【００６５】
カメラＤＳＰ１２０は、Ａ／Ｄ変換回路１１４ｃから入力された画像データーに対してＡＦ（Auto Focus）、ＡＥ（Auto Exposure）、ＡＷＢ（Auto White Balance）等の信号処理を行う。ＡＦ、ＡＥ、ＡＷＢ等の信号処理が行われた画像データーは、所定の方式でデーター圧縮され、制御ブロック１５０を介して記録媒体２００に出力されて記録される。
【００６６】
カメラＤＳＰ１２０には、ＳＤＲＡＭコントローラー１２１が設けられ、ＳＤＲＡＭコントローラー１２１の指令によりＳＤＲＡＭ１３０に対して高速でデーターの読み書きが行われる。
【００６７】
制御ブロック１５０は、ＣＰＵ（Central Processing Unit）１５１、ＲＡＭ（Random Access Memory）１５２、フラッシュＲＯＭ（Read Only Memory）１５３、時計回路１５４等の各部がシステムバス１５５を介して接続されて構成されたマイクロコンピューターであり、撮像装置１００の各部を制御する機能を有する。
【００６８】
ＣＰＵ１５１はドライバー１１２ｂ、１１３ｃやタイミング生成回路１１４ａを介してドライバー１１４ｂ等に指令信号を送出し、これらの各部を動作させる。
【００６９】
ＲＡＭ１５２は、主に、処理の途中結果を一時記憶する作業領域として用いられる。
【００７０】
フラッシュＲＯＭ１５３には、ＣＰＵ１５１において実行する種々のプログラムや各処理に必要となるデーター等が記憶される。
【００７１】
時計回路１５４は、現在年月日、現在曜日、現在時刻、撮影日時等を出力する回路である。
【００７２】
操作部１６０（操作ダイヤル４、４、４及び操作スイッチ９、９、・・・に相当）は撮像装置１００の外筐に設けられたタッチパネルやコントロールキー等である。操作部１６０に対して操作が行われると、操作に応じた信号がＣＰＵ１５１に入力され、入力された信号に基づいてＣＰＵ１５１から各部に指令信号が送出される。
【００７３】
ＬＣＤ１７０（ディスプレイパネル８に相当）はシステムバス１５５に接続されたＬＣＤコントローラー１７１によって制御される。ＬＣＤ１７０には、ＬＣＤコントローラー１７１の駆動信号に基づいた画像データー等の各種の情報が表示される。
【００７４】
外部インターフェース１８０はシステムバス１５５に接続されている。外部インターフェース１８０は撮像装置１００にパーソナルコンピューター等の外部機器１０００を接続する接続部である。外部インターフェース１８０を介して撮像装置１００に外部機器１０００が接続されることにより、外部機器１０００から画像データーを受け取って記録媒体２００に記録したり、記録媒体２００に記録されている画像データーを外部機器１０００に出力することができる。尚、記録媒体２００はシステムバス１５５に接続された媒体インターフェース１４０を介して制御ブロック１５０に接続される。
【００７５】
また、外部インターフェース１８０を介して撮像装置１００に通信モジュール等の外部機器１０００を接続することにより、例えば、インターネット等のネットワークに接続して種々の画像データーやその他の情報を取得し、取得したデーター等の記録媒体２００への記録や記録媒体２００に記録されているデーターのネットワークを通じての相手先への送信等を行うことができる。
【００７６】
尚、外部インターフェース１８０は、ＩＥＥＥ（Institute of Electrical and Electronics Engineers）１３９４、ＵＳＢ（Universal Serial Bus）等の有線用インターフェースとして設けることも可能であり、また、光や電波による無線用インターフェースとして設けることも可能である。
【００７７】
記録媒体２００に記録された画像データーは、ユーザーによって行われた操作部１６０に対する操作に応じた操作信号に基いて記録媒体２００から読み出され、媒体インターフェース１４０を介してカメラＤＳＰ１２０に送出される。
【００７８】
カメラＤＳＰ１２０は、記録媒体２００から読み出されて入力された圧縮されている画像データーについて、データー圧縮の解凍処理（伸張処理）を行い、解凍後の画像データーをシステムバス１５５を介してＬＣＤコントローラー１７１に送出する。ＬＣＤコントローラー１７１は、入力された画像データーに基づいた画像信号をＬＣＤ１７０に送出し、ＬＣＤ１７０に画像信号に基づいた画像が表示される。
【００７９】
［まとめ］
以上に記載した通り、撮像装置１にあっては、撮像素子１６を有する素子ユニット１５の背面に取り付けられた放熱シート２１に突出部２３を設け、突出部２３を固定板金１１に接続しているため、素子ユニット１５において発生した熱が放熱シート２１を介して固定板金１１に伝達されて放熱される。
【００８０】
従って、素子ユニット１５において発生した熱の良好な放熱性が確保され、素子ユニット１５において発生する熱による画質の影響を抑制することができ、撮影された画像における画質の向上を図ることができる。
【００８１】
また、放熱シート２１の突出部２３の一部とフレキシブルプリント配線板２０の中間部２０ｃとを厚み方向において当接又は近接させているため、その分、放熱シート２１とフレキシブルプリント配線板２０の配置スペースが小さくなり、配置スペースの有効活用による撮像装置１の小型化を図ることができる。
【００８２】
さらに、放熱シート２１の突出部２３に、フレキシブルプリント配線板２０と重ならない位置に配置され固定板金１１に接続される接続部２５を設けているため、放熱シート２１の接続部２５をフレキシブルプリント配線板２０に干渉されることなく固定板金１１に接続することができる。また、放熱シート２１の接続部２５の位置がフレキシブルプリント配線板２０に干渉しないため、フレキシブルプリント配線板２０を自由に屈曲させることが可能となり、フレキシブルプリント配線板２０の配置の自由度の向上及び撮像装置１の小型化を図ることができる。
【００８３】
尚、上記には、素子ユニット１５が第１の方向及び第２の方向へ移動されるぶれ補正機構を有する撮像装置１を例として示したが、本発明は、素子ユニット１５が動作されないタイプの撮像装置にも適用することが可能である。
【００８４】
上記した発明の最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００８５】
【図１】図２乃至図６と共に本発明撮像装置を示すものであり、本図は、撮像装置の概略斜視図である。
【図２】撮像装置を図１とは異なる方向から見た状態で示す概略斜視図である。
【図３】撮像装置の内部構成の一部を概念的に示す側面図である。
【図４】撮像ブロックの概略斜視図である。
【図５】撮像ブロックを図４とは異なる方向から見た状態で示す概略斜視図である。
【図６】撮像装置のブロック図である。
【符号の説明】
【００８６】
１…撮像装置、２…外筐、１１…固定板金、１３…支持枠、１４…スライダー、１５…素子ユニット、１６…撮像素子、１６ａ…撮像面、１７…ホルダー、２０…フレキシブルプリント配線板、２１…放熱シート、２２…被取付部、２３…突出部、２４…接近部、２５…接続部、２６…ガイド部材、１００…撮像装置、１１１ｂ…撮像素子
【図１】
2012028940.tif 000003
【図２】
2012028940.tif 000004
【図３】
2012028940.tif 000005
【図４】
2012028940.tif 000006
【図５】
2012028940.tif 000007
【図６】
2012028940.tif 000008